(57)【特許請求の範囲】
【請求項１】
ワイヤ幅が６ｍ以上の長網式抄紙機で抄紙され、全パルプ中の９０％以上がアカシア属又はユーカリ属に属する同じ属の樹種から作成されたＥＣＦ（Elemental Chlorine Free）漂白パルプであり、填料の９０％以上が沈降性炭酸カルシウムからなり、自動小判裁断機でＢ５サイズからＡ３サイズまでの大きさに裁断され、１００枚から１０００枚を１冊に包装された用紙から連続的に１０枚以上抜き取り測定したねじれカールの平均値が１２ｍｍ以下であり、かつ、マシン方向（ＭＤ）／クロス方向（ＣＤ）繊維配向比の平均値が１．３５〜１．６０である小判情報用紙。
【請求項２】
前記ねじれカールは、裁断がｎ本の巻き取りロールからｎ枚同時にされた場合には、前記冊から連続した３ｎ枚を抜き取り測定した平均値であることを特徴とする請求項１に記載の小判情報用紙。
【発明の詳細な説明】
【技術分野】
【０００１】
本発明は、モノクロ及びカラーの電子写真転写、モノクロ及びカラーのインクジェット記録等に使用し得る小判情報用紙に関し、特にワイヤ幅が６ｍ以上の長網式抄紙機で製造され、自動小判裁断機でＢ５サイズからＡ３サイズまでの大きさに裁断されたねじれカールが小さい電子写真転写、インクジェット記録等に使用し得る小判情報用紙に関する。
【背景技術】
【０００２】
１９７２年に日本国で初めて電子写真転写用紙（以下、「ＰＰＣ用紙」と称する。）が生産されて以来、このＰＰＣ用紙の生産量は年々増大し続けている。現在、小判情報用紙は最も使用条件の厳しいＰＰＣ用紙に適用できれば、必然的にインクジェット記録用紙、熱転写用紙、小判オフセット用紙としても使用できるため、一般にＰＰＣ用紙と称していても包装紙のラベルには大部分が上記のような用紙としても使用し得ることが明示されている。【０００３】
このＰＰＣ用紙は、今日まで比較的小型の抄紙機で生産されてきた。これは、ＰＰＣ用紙に要求されるカール特性、パルプ繊維の配向特性はもとより、含有水分、電気抵抗、摩擦係数、トナーの定着性、画像の鮮明性など、一般的に１００項目に近い管理項目があり、これをコントロールするには小回りのきく小型で、低速の抄紙機の方が品質的にも、経済的にも適していたからである。【０００４】
ＰＰＣ用紙にとってカール特性が最も重要な要求特性である理由は、一般の印刷用紙がシート寸法の大きい平判や巻き取りで使用されるのとは異なり、一般にＢ５判（１８２ｍｍ×２５７ｍｍ）、Ａ４判（２１０ｍｍ×２９７ｍｍ）、Ｂ４判（２５７ｍｍ×３６４ｍｍ）、Ａ３判（２９７ｍｍ×４２０ｍｍ）などの小判シートで使用され、しかも電子写真複写機（以下、「ＰＰＣ」と称する。）ないし印刷機の中で１５０℃〜２００℃の高熱のロールで加熱されたり、複雑な経路を通過したりするので、用紙のカール、特にいわゆる「ねじれカール」の大きい用紙は紙詰まり、紙折れ、斜め送り、紙揃い不良等の重大なトラブルの原因となるからである。【０００５】
用紙のカール特性はＰＰＣや印刷機に通す前の状態も重要であるが、ＰＰＣや印刷機の内部での加熱により新たに生じるカールもトラブルの原因となる。これは用紙の主成分であるパルプ繊維の配列、すなわち繊維の縦横方向配向比や紙に含まれている水分の影響が大きい（下記特許文献１参照）が、特に「ねじれカール」の大きさは水分よりも繊維の縦横方向の配向比に大きく影響を受ける。【０００６】
このようにＰＰＣ用紙を生産するには多くの細かいコントロールが必要であり、そのため小回りのきく小型で低速の抄紙機が使用されてきたが、近年に至り、日本国でもＰＰＣ用紙の需要量が年率５〜１０％も増加し、年間需要量は約１００万トン（板紙を除く紙全体の６％に相当）にもなり、従来の小型の抄紙機での生産では生産性が悪く、対応できなくなってきた。【０００７】
従来の小型の低速抄紙機で高品質のＰＰＣ用紙を製造する技術はこの３０年間にわたった多数の特許にも開示されている。なお、一般的にワイヤ幅が大きいということは抄紙機の規模が大きいと言うことを意味するが、従来のＰＰＣ用紙の製造に使用されている小型の低速抄紙機のワイヤ幅は典型的には３．８ｍ程度であり、日本国で使用されている抄紙機の最大ワイヤ幅は５．９ｍ程度である。【０００８】
しかしながら、日本輸出を含むＰＰＣ用紙の新しい市場を開発しているインドネシア、タイ、中国などの製紙会社では、ワイヤ幅が６ｍ以上の大型の高速抄紙機が使用されており、中にはワイヤ幅が９．７ｍもの大型の高速抄紙機も存在している。これらの大型の高速抄紙機を使用してＰＰＣ用紙を抄紙するには、小型の低速抄紙機の抄紙条件をそのまま適用すると特にねじれカールが大きくなってしまうためにそのままでは適用できず、従来の小型の低速抄紙機での抄紙とは異なった最適な抄紙条件の探求が必要不可欠であるが、未だに最適な抄紙条件は見出されていない。【０００９】
すなわち、ワイヤ幅が大きくなるとそれだけ幅方向の品質のバラツキが大きくなる傾向があり、それを訂正しようとすると全体の品質低下につながりやすくなる。また、抄紙機が大型化すると一般に抄紙速度も早くなるため、特にねじれカール特性の最適管理条件が低速抄紙時とは異なってくるわけである。
【特許文献１】特開平２−２１７８６２号公報
【発明の開示】
【発明が解決しようとする課題】
【００１０】
本発明者は、上述のようなワイヤ幅が６ｍ以上の大型の高速抄紙機を用いたねじれカールの小さい電子写真転写及びインクジェット記録等に使用できる小判情報用紙、特に自動小判裁断機でＢ５サイズからＡ３サイズまでの大きさに裁断されたねじれカールの小さい電子写真転写及びインクジェット記録等に使用できる小判情報用紙を得るためには、原料比率の９０％以上を占めるパルプ原料と填料の品質を改善することにより達成し得るのではないかと考え、種々実験を繰り返した。【００１１】
その結果、本発明者は、パルプ原料と填料の品質を改善するため、
（１）パルプ原料の木材の樹種は、主に植林で得られる単一の樹種からなるものとすること、
（２）パルプの漂白は、漂白薬品がほぼ固定されているため、品質のバラツキが少ないＥＣＦ法を採用すること、
（３）填料は、天然の炭酸カルシウムを熱分解して酸化カルシウムとした後に水和して水酸化カルシウムとし、この水酸化カルシウムを二酸化炭素と反応させて作成した品質差の少ない沈降性炭酸カルシウムを採用すること、
とし、さらに、抄紙条件として、ねじれカールに最も関係があると考えられる抄紙時のパルプのＭＤ／ＣＤ繊維配向比の最適値を求めることにより、ワイヤ幅が６ｍ以上の大型の高速機を使用してもねじれカールの小さい電子写真転写及びインクジェット記録等に使用できる小判情報用紙が得られることを見出し、本発明を完成するに至ったのである。【００１２】
すなわち、本発明の目的は、ワイヤ幅が６ｍ以上の大型の高速抄紙機を使用して製造されたねじれカールが小さい電子写真転写及びインクジェット記録等に使用できる小判情報用紙を提供することを目的とする。【００１３】
本発明の上記目的は、以下の構成により達成し得る。すなわち、請求項１の小判情報用紙の発明は、ワイヤ幅が６ｍ以上の長網式抄紙機で抄紙され、全パルプ中の９０％以上がアカシア属又はユーカリ属に属する同じ属の樹種から作成されたＥＣＦ漂白パルプであり、填料の炭酸カルシウムの９０％以上が沈降性炭酸カルシウムからなり、自動小判裁断機でＢ５サイズからＡ３サイズまでの大きさに裁断され、１００枚から１０００枚を１冊に包装された用紙から連続的に１０枚以上抜き取り測定したねじれカールの平均値が１２ｍｍ以下であり、かつ、マシン方向（ＭＤ）／クロス方向（ＣＤ）繊維配向比の平均値が１．３５〜１．６０である小判情報用紙であることを特徴とする。なお、本発明における「％」は全て質量％（実質的に重量％に同じ）を意味する。
ここで、アカシア属とは、マメ科アカシア属の樹種の総称であり、樹種としてはマンギウム(mangium)、クラシカルパ(crasicarpa)、アウリカリフォルミス(auriculiformis)、アウラコカルパ(aulacocarpa)、シンシナタ(cincinata)などがあり、いずれも本発明におけるパルプとして使用できる。また、ユーカリ属とは、ふともも科ユーカリ属の樹種の総称であり、樹種としてはナイテンス(nitens)、カマルドレンシス(camaldulensis)、シトロドラ(citro-dora)、グロブラス(globulas)、サリグナ(saligna)、レグナンス(regnans)、ロニゴリア(lonigolia)、ペリタ(pellita)、ウロフィラ(urophylla）、デグラプタ(deglupta)、テレティコルニス(tereticornis)などがあり、いずれも本発明におけるパルプとして使用できる。また、アカシア属、ユーカリ属とも上記以外の樹種も含めて同じ属の樹種間の交配でできたハイブリッド種も含まれる。
【００１４】
この場合、全パルプ中の同じ属の樹種の含有割合が９０％未満であると、ＭＤ／ＣＤ繊維配向比が所定数値範囲内にあってもねじれカールが大きくなるので好ましくない。上限値は１００％まで含まれる。【００１５】
また、填料としては、９０％以上が沈降性カルシウムであれば、タルク、カオリン等炭酸カルシウム以外の填料が含まれていてもよいが、沈降性炭酸カルシウムが１００％であってもよい。填料として沈降性カルシウム以外の成分が１０％を超える量で含まれていると、ねじれカールが大きくなるので好ましくない。【００１６】
また、マシン方向（ＭＤ）／クロス方向（ＣＤ）繊維配向比の平均値が１．６０を超えるとねじれカールが大きくなり、また前記配向比の平均値が１．３５未満のものは、ワイヤ幅が６ｍを超える大型の抄紙機では抄紙速度を最適条件以下にしなければならず、製造が困難である。【００１７】
係る態様においては、前記ねじれカールは、裁断がｎ本の巻き取りロールからｎ枚同時にされた場合には、前記冊から連続した３ｎ枚を抜き取り測定した平均値であることが好ましい。これは、通常自動小判裁断機では巻き取り５本（時には４本）を同時に裁断するので、各巻き取りから平等にかつ合計１５枚（時には１２枚）サンプリングすることを意味する。
【発明の効果】
【００２０】
本発明は、上記の構成を備えることにより、以下に実施例及び比較例を対比しながら詳細に説明するように、ワイヤ幅が６ｍ以上の大型の高速抄紙機を使用して製造されたねじれカールが小さい電子写真転写及びインクジェット記録等に使用し得る小判情報用紙が得られる。
【図面の簡単な説明】
【００２１】
【図１】図１（ａ）はねじれカール測定中の状態を示す斜視図であり、図１（ｂ）はその側面図である。
【図２】マシン方向（ＭＤ）／クロス方向（ＣＤ）繊維配向比の測定原理を示す図である。
【図３】巻き取り数ｎと裁断後の冊から抜きとる枚数３ｎとの関係を示す図である。
【符号の説明】
【００２２】
１０    ねじれカール測定装置
１２    用紙
１６    上部支持部
１８    目盛り
２０    超音波伝播速度計
２２    用紙
２４    送波振動子
２５    受波振動子
【発明を実施するための最良の形態】
【００２３】
以下、実施例及び比較例を対比しながら、本発明を実施するための最良の形態を説明する。なお、以下に示す実施例は、本発明をこれに限定することを意図するものではなく、特許請求の範囲に含まれるその他の実施形態のものにも等しく適用し得るものである。【００２４】
まず、実施例及び比較例に共通するねじれカールの測定方法及びマシン方向（ＭＤ）／クロス方向（ＣＤ）繊維配向比の測定方法について説明する。ねじれカールは、２３℃、５０％の環境（ＩＳＯ４６７７に基づく）下において、図１に示したねじれカール測定装置１０を使用して測定した。なお、図１（ａ）はねじれカール測定中の状態を示す斜視図であり、図１（ｂ）はその側面図である。まず、開封直後のＡ４サイズの用紙１２を抜き取り、その短い一辺１４（長さ２１０ｍｍ）を先端から１０ｍｍの部分を図１に示したようにねじれカール測定装置１０の上部支持部１６に固定して直角に垂らし、６０分経過後に用紙１２の下方の両端部Ａ及びＢに対応する位置ａ及びｂを上部支持部１６から約３００ｍｍ下方の位置に置かれた測定板に記録された目盛１８から読み取り、ａ−ｂの絶対値を捻れカール値とする。【００２５】
また、マシン方向（ＭＤ）／クロス方向（ＣＤ）繊維配向比は、測定原理を示す図である図２に示したように、超音波伝播速度計（Sonic Sheet Tester SST 3200、野村商事株式会社製）２０を用いて測定した。超音波伝播速度２０は、測定台２１上に載置された用紙２２に対して発信器２３から送波振動子２４を介して超音波を送出し、用紙２２上の所定距離離れた位置に配置された受波振動子２５及び受信機２６により超音波を受信して、信号処理装置２７により信号処理することによって測定し得る。この超音波伝播速度を用紙の抄紙マシン方向（ＭＤ）及びクロス方向（ＣＤ）で測定し、以下の式によりマシン方向（ＭＤ）／クロス方向（ＣＤ）繊維配向比を求めた。【００２６】
【数１】
0004674213.tif 000002
【００２７】
なお、この超音波伝播法による繊維配向比の測定原理は次のとおりである。一定の大きさの紙の密度は一定という前提で超音波（縦波）が伝播する時間（Ｔ）又は速度（Ｃ）とヤング率（Ｅ）との間には以下の関係がある。
【数２】
0004674213.tif 000003
ここでＬは距離を表す。【００２８】
ここでは、超音波送波振動子２４と寿が振動子２５との間の距離Ｌ＝１５０ｍｍとして試料に接触させ、この間の超音波の伝播時間（Ｔ）を試料の同一円周上の全方向にわたって測定する。伝播速度の最大値の方向はヤング率も最大であり、伝播速度の最小値の方向はヤング率も最少である。このように、測定値の変化が配向性を示しているので、測定値の分析によって配向角（伝播速度の最大値の方向、最小値の方向）や縦横比（ＭＤ方向とＣＤ方向の測定値の比、又は、最強の方向と最弱の方向における測定値の比）等を求めることができる。【００２９】
実際の抄紙工程における配向性を考えると、ヘッドボックスから噴出するパルプ液のワイヤー上の挙動により繊維に配向性が生じ、通常は流れ方向（マシン方向、ＭＤ方向）に繊維が並ぶ傾向が強いため、ＭＤ方向のヤング率が高くなり、幅方向（クロス方向、ＣＤ方向）のヤング率が低くなる。そのため、本発明においてはＭＤ方向の超音波伝播速度とＣＤ方向の超音波伝播速度との比を「ＭＤ方向／ＣＤ方向繊維配向比」として採用した。【００３０】
＜実施例１〜４、比較例１〜４＞
まず、実施例１の用紙は、抄紙機としてワイヤ幅７．４ｍのオントップ長網式抄紙機を使用し、抄紙速度１０００ｍ／分で抄紙した。原料のパルプの樹種配合はユーカリパルプ９５％、針葉樹パルプ５％、填料配合は沈降性炭酸カルシウム（ＰＣＣ）１００％として抄紙し、ロータリー自動小判断裁機にて、図３に示したように５巻取を同時にＡ４サイズに断裁し５００枚を包装し１冊とした。その冊より任意の連続した１５枚を抜き取り、上述の方法にて、ＭＤ／ＣＤ繊維配向比とねじれカールを測定した。なお、全実施例及び比較例について、パルプは全て塩素系漂白剤は二酸化塩素を使用したＥＣＦパルプであり、また、パルプのフリーネスは、ユーカリ、アカシア及びＴＭＨの場合は５００ｃｃＣＳＦ(Canadian Standard Freeness)とし、針葉樹は６００ｃｃＣＳＦとした。
【００３１】
次に、得られたＡ４用紙を、市販のＡ４横方向の連続転写速度が３５枚／分である電子写真式複写機のリコー株式会社製Ｉｍａｇｉｏ  ＭＦ  ３５３０（複写機−１）及び富士ゼロックス株式会社製ＤｏｃｕＣｅｎｔｒｅ３５０（複写機−２）をそれぞれ１０００枚通過させ、紙詰まりの有無を調べ、一枚でも紙詰まりがあったものを「×」、紙詰まりが全くなかったものを「○」で表した。結果を各原料配合及び他の測定結果とともにまとめて表１に示した。【００３２】
また、実施例２〜４及び比較例１〜４の用紙は、実施例１の抄紙機と同じ抄紙機を同じ抄紙速度（１０００ｍ／ｍｉｎ）で使用し、原料のパルプの樹種配合、填料の配合をそれぞれ表１に示した条件として抄紙し、それぞれの用紙について実施例１と同様にして各種測定を行い、得られた結果をまとめて表１に示した。【００３３】
また、比較例５の用紙は、小型低速の抄紙機の例として、ワイヤ幅３．７ｍのオントップ長網式抄紙機を使用し、原料のパルプの樹種配合はユーカリ１００％、填料の配合はＰＣＣ１００％とし、抄紙速度５００ｍ／分で抄紙した。また、比較例６の用紙は、ワイヤ幅４．１ｍのオントップ長網式抄紙機を使用し、原料のパルプの樹種配合はユーカリ９５％、針葉樹５％、填料の配合はＰＣＣ１００％とし、抄紙速度６００ｍ／ｍｉｎで抄紙した。比較例５及び６のそれぞれの用紙について実施例１と同様にして測定した各種測定値をまとめて表１に示した。【００３４】
【表１】
0004674213.tif 000004
【００３５】
表１の結果から次のことが分かる。すなわち、比較例５及び６の結果から、ワイヤ幅６ｍ未満の抄紙機を使用した場合には、パルプ組成によらず、ねじれカールが小さく、しかも各種複写機で使用しても紙詰まりの少ない小判情報用紙が得られるが、経済性ないし生産性は大型高速の抄紙機を使用した場合よりも必然的に悪くなる。【００３６】
また、ワイヤ幅７．４ｍの大型高速の抄紙機を使用して用紙を抄紙した場合においては、原料パルプの樹種配合が全パルプ中の同じ属の樹種から作成されたものが９０％未満である比較例１及び２の結果から明らかなように、填料配合がＰＣＣ１００％であってＭＤ方向／ＣＤ方向繊維配向比が実施例１〜４のものと実質的に同一であっても、ねじれカール１２ｍｍ以上と大きくなり、複写機−２を使用した場合には紙詰まりが発生した。【００３７】
さらに、ワイヤ幅７．４ｍの大型高速の抄紙機を使用して用紙を抄紙した場合においては、原料パルプの樹種配合が全パルプ中の９０％以上が同じ属の樹種から作成されたものであっても、填料配合が重質炭酸カルシウム（ＧＣＣ）１００％である比較例３及び重質炭酸カルシウムが８０％及びカオリンが２０％である比較例４の場合は、ＭＤ方向／ＣＤ方向繊維配向比が実施例１〜４のものと実質的に同一であっても、ねじれカールが１２ｍｍと大きくなり、複写機−２を使用した場合には紙詰まりが発生した。【００３８】
<実施例５〜８、比較例７>
実施例５の用紙は、原料のパルプの樹種配合はアカシア１００％、填料はＰＣＣ９０％、タルク５％及びカオリン５％とし、ワイヤ幅６．７ｍのオントップ長網式抄紙機を使用して抄紙速度８００ｍ／ｍｉｎで抄紙した。また、実施例６の用紙は、原料のパルプの樹種配合はユーカリ９５％、針葉樹５％とし、填料はＰＣＣ１００％とし、実施例５の抄紙機と同じワイヤ幅６．７ｍのオントップ長網式抄紙機を使用して抄紙速度９００ｍ／ｍｉｎで抄紙した。また、実施例７の用紙は、原料のパルプの樹種配合はユーカリ１００％とし、填料はＰＣＣ１００％とし、実施例１の抄紙機と同じワイヤ幅７．４ｍのオントップ長網式抄紙機を使用して抄紙速度９００ｍ／ｍｉｎで抄紙した。また、実施例８の用紙は、原料のパルプの樹種配合はユーカリ９０％、針葉樹１０％とし、填料はＰＣＣ１００％とし、ワイヤ幅９．７ｍのオントップ長網式抄紙機を使用して抄紙速度１１００ｍ／ｍｉｎで抄紙した。【００３９】
さらに、比較例７の用紙は、原料のパルプの樹種配合はユーカリ３０％、アカシア３０％針葉樹１０％、ＴＭＨ３０％とし、填料の配合はＰＣＣ１００％とし、実施例８の抄紙機と同じワイヤ幅９．７ｍのオントップ長網式抄紙機を使用して抄紙速度１２５０ｍ／ｍｉｎで抄紙した。得られたそれぞれの用紙について実施例１と同様にして各種測定を行い、得られた結果を比較例５及び６、実施例１の結果とまとめて表２に示した。【００４０】
【表２】
0004674213.tif 000005
【００４１】
表２に示した結果から以下のことが分かる。実施例１、５〜８の用紙は、原料パルプの樹種配合は全て同じ属の樹種が９０％以上であり、また、填料は９０％以上がＰＣＣであり、しかもワイヤ幅が６．７ｍ〜９．７ｍ、抄紙速度が８００ｍ／ｍｉｎ〜１１００ｍ／ｍｉｎにまでわたっているが、ねじれカールが１１ｍｍ以下と小さく、複写機−１及び複写機−２においても紙詰まりが発生することがなかった。この場合のＭＤ方向／ＣＤ方向繊維配向比は１．３５〜１．６０の範囲であった。これに対して原料パルプの樹種配合が同じ属の樹種が９０％未満である比較例７の用紙は、填料が実施例１、６〜８のものと同じでありまたＭＤ方向／ＣＤ方向繊維配向比も実施例１、６〜８のものと実質的に同じであるとしても、ねじれカールが１５ｍｍと大きく、複写機−１及び複写機−２の何れを使用した場合においても紙詰まりが発生した。【００４２】
以上の表１及び表２の結果をまとめると、ワイヤ幅６ｍ以上の大型高速の抄紙機を使用して用紙を抄紙した場合においては、原料パルプの樹種配合が全パルプ中の９０％以上が同じ属の樹種から作成されたものであり、填料配合がＰＣＣが９０％以上であれば、ねじれカールが１１ｍｍ以下と小さく、複写機−１及び複写機−２において使用しても紙詰まりが発生することがなく、経済性及び生産性ともに優れたものとなる。この場合、用紙のマシン方向（ＭＤ）／クロス方向（ＣＤ）繊維配向比は１．３５〜１．６０の範囲内に収まっている。【００４３】
なお、前記の全ての実施例及び比較例においては、図３に示したように、５巻取を同時に断裁し５００枚を包装し１冊とし、その冊より任意の連続した１５枚を抜き取ってマシン方向（ＭＤ）／クロス方向（ＣＤ）繊維配向比を測定したが、一冊は５００枚だけでなく１０００枚であってもよく、また、一般に巻き取り数をｎ（ｎ≧２）とした場合に連続した３ｎ枚を抜き取って測定すると、統計的に確度が高いマシン方向（ＭＤ）／クロス方向（ＣＤ）繊維配向比が得られる。ただし、ｎ≦３の場合は抜き取り最低枚数を１０枚としたほうが確度が高くなるので好ましい。
【図１】
0004674213.tif 000006
【図２】
0004674213.tif 000007
【図３】
0004674213.tif 000008